(57)【要約】【課題】打込み深さが浅くても大きな引抜き反力を得られ、しかも、地面等の打込み側に形成される穴を小さなものにでき、加えて、打込み側に容易に真っ直ぐ打つことができる反力杭を提供する。【解決手段】引抜き力に対する反力を確保するためのつるまき状部６が備えられると共に、該つるまき状部６の先端に先端方向に突出するガイド用の刺込み真直部７が備えられ、該刺込み真直部７を地面５に刺し込んだ状態で地面５に回転させて打ち込んでいくことによりつるまき状部６が地面５の内部に進出していくようになされている。【選択図】      図１
2004353185.tif 000002
【特許請求の範囲】
【請求項１】
引抜き力に対する反力を確保するためのつるまき状部が備えられると共に、該つるまき状部の先端に先端方向に突出するガイド用の刺込み真直部が備えられ、該刺込み真直部を打込み側に刺し込んだ状態で打込み側に回転させて打ち込んでいくことによりつるまき状部が打込み側の内部に進出していくようになされていることを特徴とする反力杭。
【請求項２】
引抜き力に対する反力を確保するためのつるまき状部が備えられ、打込み側に回転させて打ち込んでいくことによりつるまき状部が打込み側の内部に進出していくようになされており、かつ、基端側に、回転操作用のバーを通す筒状部が両端開口を側方に向けるようにして備えられていることを特徴とする反力杭。
【発明の詳細な説明】
【０００１】
【発明の属する技術分野】
本発明は、屋根改修工事やキャンプ等に用いられる反力杭に関する。
【０００２】
【従来の技術】
住宅等の建物の屋根の改修工事において屋根に親綱を張るような場合に、地面に反力杭を打ち、この反力杭に親綱をつなぐことがある。例えばそのような場合に用いられる反力杭として、従来より種々の反力杭が提供されている。
【０００３】
【発明が解決しようとする課題】
しかしながら、従来の反力杭では、引抜きに対する反力を大きなものにするためには地中への打込み深さをある程度大きくしなければならないという問題があった。そこで、打込み深さが浅くても大きな反力を得られるよう、杭の外径を大きなものにすることも考えられるが、それでは、そのような反力杭を抜いたときに地面に大きな穴が明いてしまうという問題を生じる。
【０００４】
また、従来の反力杭では、これを地面に対して真っ直ぐに打ち込んでいくのが必ずしも容易ではないという問題もあった。
【０００５】
本発明は、上記のような従来の問題点に鑑み、打込み深さが浅くても大きな引抜き反力を得ることができ、しかも、地面等の打込み側に形成される穴を目立たない小さなものにすることができ、加えて、打込み側に容易に真っ直ぐ打つことができる反力杭を提供することを課題とする。
【０００６】
【課題を解決するための手段】
上記の課題は、引抜き力に対する反力を確保するためのつるまき状部が備えられると共に、該つるまき状部の先端に先端方向に突出するガイド用の刺込み真直部が備えられ、該刺込み真直部を打込み側に刺し込んだ状態で打込み側に回転させて打ち込んでいくことによりつるまき状部が打込み側の内部に進出していくようになされていることを特徴とする反力杭によって解決される。
【０００７】
この反力杭では、つるまき状部が打込み側の内部に打ち込まれた状態となることで、打込み側としっかりと結合し、引抜きに対して大きな反力を得られ、そのため、打込み深さが浅くても大きな引抜き反力を得ることができる。
【０００８】
しかも、つるまき状部は、その外径が大きくなりがちであるけれども、つるまき状部を構成する線材部分の外径は小さく、そのため、打込み側の表面には、この線材部分の跡穴があくだけで、反力杭の打込みによる打込み側の穴を小さいものにすることができる。
【０００９】
加えて、つるまき状部の先端には先端方向に突出するガイド用の刺込み真直部が備えられているので、杭打ちにおいては、打込み側に刺し込まれた真直部が、打込み側へのつるまき状部の回転打込み中のガイドとして機能し、つるまき状部を打込み側に容易に真っ直ぐ打ち込んでいくことができる。とりわけ、つるまき状部が打込み側に打ち込まれていく初期時点での杭打ち姿勢を真直部のガイド作用で安定したものにすることができ、ぐらつかせることなく、打込み側へのつるまき状部の打込みを杭をふらつかせることなく容易に行っていくことができる。
【００１０】
また、上記の課題は、引抜き力に対する反力を確保するためのつるまき状部が備えられ、打込み側に回転させて打ち込んでいくことによりつるまき状部が打込み側の内部に進出していくようになされており、かつ、基端側に、回転操作用のバーを通す筒状部が両端開口を側方に向けるようにして備えられていることを特徴とする反力杭によっても解決される。
【００１１】
この反力杭においても同様に、つるまき状部が打込み側の内部に打ち込まれた状態となることで、打込み側としっかりと結合し、引抜きに対して大きな反力を得られ、そのため、打込み深さが浅くても大きな引抜き反力を得ることができるし、しかも、杭抜き取り後は、打込み側の表面に、つるまき状部を構成する線材部分の跡穴があくだけで、反力杭の打込みによる打込み側の穴を小さいものにすることができる。
【００１２】
加えて、基端側に、回転操作用のバーを通す筒状部が両端開口を側方に向けるようにして備えられているので、この筒状部に回転操作用のバーをしっくりと嵌合するように通すことで、回転操作用バーと杭とのなす角度を一定に固定することができて、打込み側へのつるまき状部の打込みを、打込み初期時点から、杭をふらつかせることなく容易に打ち込んでいくことができる。
【００１３】
【発明の実施の形態】
次に、本発明の実施形態を図面に基づいて説明する。
【００１４】
図１に示す第１実施形態の反力杭１は、図５に示すように、住宅等の建物３の屋根２に親綱４を張る場合に打込み側である地面５に打ち込まれるもので、図１（イ）に示す反力杭１において、６は、引抜き力に対する反力を確保するためのつるまき状部である。
【００１５】
そして、このつるまき状部６の先端に、先端方向に突出するガイド用の刺込み真直部７が備えられている。また、つるまき状部６の基端側には、図１（ロ）に示すように、回転操作用のバー８を、反力杭１との組合せでＴ字状となるように貫通して通すことのできる親綱つなぎ用のリング状部９が備えられている。本実施形態では、反力杭１が一本の鉄等の金属製の線材からなっており、この線材に曲げ加工を施すことで、つるまき状部６と刺込み真直部７とリング状部９とが一体成形されたものからなっている。なお、刺込み真直部７の先端を鋭利に形成しておく場合は、地面５への真直部７の刺込み、及び、反力杭１の打込みをスムーズに行っていくことができる。
【００１６】
上記反力杭１では、図２（イ）に示すように、真直部７の全体を地面５に対して垂直に刺し込んだ状態にし、しかる後、図２（ロ）に示すように、リング状部９に通した回転操作バー８を回転させながら、反力杭１を地面側に圧入していく。この回転打込み初期の段階で、地面に刺し込まれている真直部７が地面５へのつるまき状部６の真っ直ぐの初期の打込みを容易なものとし、反力杭１が地面５に対して傾いてしまうのを阻止するように機能する。こうして、つるまき状部６の先端部部分がある程度地面５の下にねじ込まれた後は、必要に応じて反力杭１に圧入力を付与しながら、回転操作バー８を回転させていくことにより、図２（ハ）に示すように、つるまき状部６が地面５の下へと真っ直ぐに進出していき、その過程では、先端真直部７によるガイド作用と併せてつるまき状部６によるガイド作用も次第に大きく働くようになり、図２（ニ）に示すような適正な打込み状態が得られる。こうして地面５に反力杭１を打ち込んだのち、図５に示すように、反力杭１のリング状部９に親綱４をつなぐ。
【００１７】
このように、上記の反力杭１では、つるまき状部６が地面５に打ち込まれた状態となることで、地面５としっかりと結合し、引抜きに対して大きな反力を得られ、そのため、打込み深さが浅くても大きな引抜き反力を得ることができる。
【００１８】
しかも、つるまき状部６は、線材がつるまき状に曲成されたものであって、その全体の外径は大きいけれども、つるまき状部６を構成する線材部分の外径は小さく、そのため、反力杭１を抜きとった地面５には、この線材部分の跡穴があくだけで、反力杭１の打込みによって生じる地面５側の穴のサイズを小さいものにすることができる。
【００１９】
そして、本実施形態の反力杭１では、つるまき状部６の先端に先端方向に突出するガイド用の刺込み真直部７が備えられているので、上記のように、杭打ちにおいて、地面５に刺し込まれた真直部７が、地面５へのつるまき状部６の初期、中期を含む回転打込み中のガイドとして機能し、反力杭１の姿勢が地面５に対して垂直に保持され、反力杭１をふらつかせることなく、つるまき状部６を地面５に容易に真っ直ぐ打ち込んでいくことができる。
【００２０】
なお、上記の説明では、反力杭１の打込みに回転操作バー８を用いた場合を示しているが、反力杭１を手で回して地面５に打ち込んでいくようにしてもよい。
【００２１】
図３（イ）（ロ）に示す第２実施形態の反力杭１は、つるまき状部６の先端側のガイド用真直部が省略されると共に、基端側に、回転操作用のバー８を、反力杭１との組合せでＴ字状となるように貫通して通すことのできる親綱つなぎ用の筒状部１０が両端開口を側方に向けるようにして備えられている。筒状部１０は、つるまき状部６と一体で、本実施形態では円筒状のものからなり、回転操作用のバー８は、筒状部１０内にしっくりと嵌合する外周サイズの、例えば丸棒からなっている。
【００２２】
この反力杭１では、図４（イ）に示すように、回転操作バー８を筒状部１０にしっくり嵌合させて貫通し、同バー８を回しながら、反力杭１を地面側に圧入を開始する。回転操作用バー８と反力杭１とはそれらのなす角度が一定に固定されるので、つるまき状部６は、杭１をふらつかせることなく、打込み初期時点から打込み側に容易に打ち込んでいくことができる。こうして、つるまき状部６の先端部部分がある程度地面５の下にねじ込まれた後は、必要に応じて反力杭１に圧入力を付与しながら回転操作バー８を回転させていくことにより、図４（ロ）に示すように、つるまき状部６が地面５の下へと真っ直ぐに進出していき、その過程では、つるまき状部６によるガイド作用も働くようになり、図４（ハ）に示すような適正な打込み状態が得られる。こうして地面５に反力杭１を打ち込んだのち、同様に、反力杭１の筒状部１０に親綱をつなぐ。
【００２３】
この反力杭１においても同様に、つるまき状部６が地面５下に打ち込まれた状態となることで、地面５としっかりと結合し、引抜きに対して大きな反力を得られ、そのため、打込み深さが浅くても大きな引抜き反力を得ることができるし、しかも、杭抜き取り後は、地面５に、つるまき状部６を構成する線材部分の跡穴があくだけで、反力杭１の打込みによる地面５の穴を小さいものにすることができる。そして、反力杭１のつるまき状部６を、反力杭１をふらつかせることなく、打込み初期時点から地面５に容易に打ち込んでいくことができ、それでいて、常時は、反力杭１から回転操作バー８を取り外しておけば、嵩張らせることなく、持ち運びや保管を行うことができる。
【００２４】
以上に、本発明の実施形態を示したが、本発明はこれに限られるものではなく、発明思想を逸脱しない範囲で各種の変更が可能である。例えば、本発明は、つるまき状部６の先端側に第１実施形態におけるようなガイド用真直部７を備えさせ、基端側に第２実施形態におけるような筒状部１０を備えさせた反力杭などをも含む。また、本発明の反力杭の具体的用途に制限はなく、テントやタープ用のペグとして用いられてもよいし、杭の反力を利用してコルク栓などを抜くのに用いられてもよい。また、材質は鉄等の金属であってもよいし、プラスチックなどであってもよい。
【００２５】
【発明の効果】
本発明の反力杭は、以上のとおりのものであるから、打込み深さが浅くても大きな引抜き反力を得ることができ、しかも、地面等の打込み側に形成される穴を目立たない小さなものにすることができ、加えて、打込み側に容易に真っ直ぐ打つことができる。
【図面の簡単な説明】
【図１】第１実施形態の反力杭を示すもので、図（イ）は斜視図、図（ロ）は回転操作バーを組み合わせた状態の斜視図である。
【図２】図（イ）〜図（ニ）は打込みの過程を順次に示す一部断面側面図である。
【図３】第２実施形態の反力杭を示すもので、図（イ）は斜視図、図（ロ）は回転操作バーを組み合わせた状態の斜視図である。
【図４】図（イ）〜図（ハ）は打込みの過程を順次に示す一部断面側面図である。
【図５】使用の一例を示す概略側面図である。
【符号の説明】
１…反力杭
５…地面（打込み側）
６…つるまき状部
７…真直部
８…回転操作バー
１０…筒状部
【図１】
2004353185.tif 000003
【図２】
2004353185.tif 000004
【図３】
2004353185.tif 000005
【図４】
2004353185.tif 000006
【図５】
2004353185.tif 000007